(57)【要約】【課題】畝の形状に合わせた細断を行えると共に、コンパクトに構成できる茎葉処理機を提供する。【解決手段】畝Ｒに沿って移動しながら作物Ｐの茎葉Ｓを細断する茎葉細断装置５を、畝Ｒの左右方向中央側の茎葉Ｓを細断する中央細断部２１と、この中央細断部２１の左右両側の、後方側で且つ下方側に配置されていて、畝Ｒの左右両側部の茎葉Ｓを細断する側部細断部２２とから構成する。【選択図】      図１
2004194594.tif 000002
【特許請求の範囲】
【請求項１】
畝（Ｒ）に沿って移動しながら作物（Ｐ）の茎葉（Ｓ）を細断する茎葉細断装置（５）を備え、この茎葉細断装置（５）は、畝（Ｒ）の左右方向中央側の茎葉（Ｓ）を細断する中央細断部（２１）と、この中央細断部（２１）の左右両側の、後方側で且つ下方側に配置されていて、畝（Ｒ）の左右両側部の茎葉（Ｓ）を細断する側部細断部（２２）とを備えていることを特徴とする茎葉処理機。
【請求項２】
茎葉細断装置（５）の各細断部（２１，２２）は、左右方向の軸心廻りに回転自在な切断刃（２６，２７）を備えていると共に、この切断刃（２６，２７）が下側から前上方に向けて回転するように構成されていることを特徴とする請求項１に記載の茎葉処理機。
【請求項３】
側部細断部（２２）と中央細断部（２１）とが略同じ高さとなるように高さ変更可能としたことを特徴とする請求項１又は２に記載の茎葉処理機。
【請求項４】
左右の側部細断部（２２）は、畝（Ｒ）の上方側を左右に横切るように配置された共通の回転軸（２５）に切断刃（２７）を取り付けることにより構成されていることを特徴とする請求項１〜３のいずれかに記載の茎葉処理機。
【請求項５】
茎葉細断装置（５）の各細断部（２１，２２）は、左右方向の軸心廻りに回転する切断刃（２６，２７）を備えていると共に、中央細断部（２１）の回転数が、側部細断部（２２）の回転数よりも速くなるように構成したことを特徴とする請求項１〜４のいずれかに記載の茎葉処理機。
【請求項６】
中央細断部（２１）は、茎葉（Ｓ）をその一部を残して細断するものであり、中央細断部（２１）の後側には、細断されずに残された茎葉（Ｓ）を挟持して引き抜く引抜き手段（３４）を備え、この引抜き手段（３４）を左右の側部細断部（２２）間に入り込ませるようにしたことを特徴とする請求項１〜５のいずれかに記載の茎葉処理機。
【請求項７】
中央細断部（２１）と側部細断部（２２）とを、側面視で一部オーバーラップさせたことを特徴とする請求項１〜６のいずれかに記載の茎葉処理機。
【請求項８】
中央細断部（２１）は、茎葉（Ｓ）をその一部を残して細断するものであり、茎葉細断装置（５）の後方に、細断されずに残った茎葉（Ｓ）を挟持して引き抜く茎葉引抜き装置（４）を備え、茎葉細断装置（５）と茎葉引抜き装置（４）の各々にゲージ輪（２０，３７）を設けたことを特徴とする請求項１〜７のいずれかに記載の茎葉処理機。
【発明の詳細な説明】
【０００１】
【発明の属する技術分野】
本発明は、作物、例えば、馬鈴薯（の塊茎）を収穫する前に、その蔓（茎葉）を処理する茎葉処理機に関するものである。
【０００２】
【従来の技術】
従来、馬鈴薯のイモ（塊茎）を収穫する前に、馬鈴薯の茎葉をイモから引き抜く茎葉処理機がある（例えば、特許文献１参照）。
この茎葉処理機は、トラクタ等の走行体の後部に装着され、茎葉を細断する茎葉細断装置と、この茎葉細断装置の後方に位置する左右一対の引抜きロールとを備え、畝の長手方向に沿って移動しながら茎葉細断装置によって茎葉をその一部を残して細断し、残った茎葉を左右一対の引抜きロールで挟持し、且つ左右の引抜きロールを、該左右引抜きロールの対向側において下側から上側に向けて回転駆動することにより引き抜くように構成したものである。
【０００３】
茎葉細断装置は、畝の上方を左右方向に横切るように配置された回転軸に多数のフレール刃を取り付けて細断部を構成し、前記回転軸を左右方向の軸心回りに回転させることにより、茎葉をその一部を残して細断するようにしたものである。
このものにあっては、回転軸に設けられたフレール刃は全て同じ長さであるので、畝の形状に合わせた細断が行えず、畝の左右両側に茎葉が多く残り、その後の引抜き作業に影響を与える。
【０００４】
そこで、畝の左右方向中央部分を細断する中央細断部のフレール刃は短く、畝の左右両側部を細断する左右の側部細断部のフレール刃は長く形成して、畝の形状に合わせた細断が行えるように構成されたものがある（特許文献２参照）。
【０００５】
【特許文献１】
特開平４−１６６００９号公報。
【特許文献２】
実開平５−９１２３６号公報。
【０００６】
【発明が解決しようとする課題】
前記特許文献２の茎葉処理機にあっては、畝に合わせた茎葉の細断を行えるが、側部細断部の外端軌跡の径が大きくなり、それに伴って細断部を覆うカバー体も大きくなり、茎葉細断装置が大型化するという問題がある。
そこで、本発明は、前記問題点に鑑みて、畝の形状に合わせた細断を行えると共に、コンパクトに構成できる茎葉処理機を提供することを目的とする。
【０００７】
【課題を解決するための手段】
本発明が技術的課題を解決するために講じた技術的手段は、畝Ｒに沿って移動しながら作物Ｐの茎葉Ｓを細断する茎葉細断装置５を備え、この茎葉細断装置５は、畝Ｒの左右方向中央側の茎葉Ｓを細断する中央細断部２１と、この中央細断部２１の左右両側の、後方側で且つ下方側に配置されていて、畝Ｒの左右両側部の茎葉Ｓを細断する側部細断部２２とを備えていることを特徴とする。
また、茎葉細断装置５の各細断部２１，２２は、左右方向の軸心廻りに回転自在な切断刃２６，２７を備えていると共に、この切断刃２６，２７が下側から前上方に向けて回転するように構成されているのがよい。
【０００８】
また、側部細断部２２と中央細断部２１とが略同じ高さとなるように高さ変更可能としてもよい。
また、左右の側部細断部２２は、畝Ｒの上方側を左右に横切るように配置された共通の回転軸２５に切断刃２７を取り付けることにより構成されていてもよい（左右の側部細断部の駆動軸を畝上方位置とし、且つ左右の側部細断部の駆動軸を連結してもよい）。
また、茎葉細断装置５の各細断部２１，２２は、左右方向の軸心廻りに回転する切断刃２６，２７を備えていると共に、中央細断部２１の回転数が、側部細断部２２の回転数よりも速くなるように構成してもよい。
【０００９】
また、中央細断部２１は、茎葉Ｓをその一部を残して細断するものであり、中央細断部２１の後側には、細断されずに残された茎葉Ｓを挟持して引き抜く引抜き手段３４を備え、この引抜き手段３４を左右の側部細断部２２間に入り込ませるようにするのがよい。
また、中央細断部２１と側部細断部２２とを、側面視で一部オーバーラップさせるのがよい。
また、中央細断部２１は、茎葉Ｓをその一部を残して細断するものであり、茎葉細断装置５の後方に、細断されずに残った茎葉Ｓを挟持して引き抜く茎葉引抜き装置４を備え、茎葉細断装置５と茎葉引抜き装置４の各々にゲージ輪２０，３７を設けるのがよい。
【００１０】
【発明の実施の形態】
以下、本発明の実施の形態を図面を参照して説明する。
図１〜図８は、本発明の一実施の形態を示しており、１は、馬鈴薯Ｐ等の作物（の塊茎（イモ、収穫物）Ｔ）を掘り取る（収穫する）前に、その茎葉Ｓ（蔓）を塊茎Ｔから引き抜く茎葉処理機を示しており、該茎葉処理機１は、トラクタ２等の走行体の後部に装着されていて、畝Ｒに沿って移動しながら茎葉Ｓを処理する。
【００１１】
この茎葉処理機１は、トラクタ２に装着するための装着フレーム３と、馬鈴薯Ｐの塊茎Ｔから茎葉Ｓを引き抜く茎葉引抜き装置４と、この茎葉引抜き装置４の前側に位置していて該茎葉引抜き装置４によって茎葉Ｓを引き抜く前に余分な茎葉Ｓを細断処理する（粉砕処理する）茎葉細断装置５とを備えており、装着フレーム３に茎葉引抜き装置４と茎葉細断装置５とが取り付けられている。
茎葉処理機１は、本実施の形態では、２畝対応の茎葉細断装置５の後方に、１畝対応の茎葉引抜き装置４を左右一対備えていて、畝Ｒの長手方向に移動しながら２畝を同時に（一工程で）処理するように構成されている（なお、１畝又は３畝以上を処理するようにしたものであってもよい）。
【００１２】
装着フレーム３は、その前部に、三点リンク機構６のトップリンク７の後端部を連結するトップリンク取付部８と、三点リンク機構６の左右ロワーリンク９の後端部を連結する左右一対のロワーリンク取付部１０とを備えていて、茎葉処理機１が、トラクタ２の後部に三点リンク機構６を介して昇降自在に装着されていると共に、トラクタ２に備えられた油圧昇降装置によって昇降可能とされている。
なお、トラクタ２に備えられる油圧昇降装置は、上昇は油圧によって行い、下降は三点リンク機構６に装着された作業機の自重によって行う単動形の油圧シリンダによって構成されている。また、該油圧昇降装置は、作業機側に、該作業機を上昇させるような力が働いたときには、作業機の上昇を許容するような構造とされている。
【００１３】
また、装着フレーム３には、左右方向に長い分岐伝動ケース１１と、この分岐伝動ケース１１の左右方向中央部の後側に近接して位置する伝動ボックス１２とが取り付けられ、伝動ボックス１２には、分岐伝動ケース１１を貫通するように前方に突出する入力軸１３が設けられ、該入力軸１３はトラクタ２の後部に設けられたＰＴＯ軸にユニバーサルジョイント１４を介して連動連結されており、トラクタ２のエンジンからの回転動力が分岐伝動ケース１１及び伝動ボックス１２に入力されるようになっている。
【００１４】
分岐伝動ケース１１の背面上部の左右両側には、動力の出力部１５が設けられ、分岐伝動ケース１１に入力された動力は、プーリ及びＶベルト等からなるベルト巻掛け伝動機構等の伝動機構によって左右に分岐され、左右の出力部１５から出力されるように構成されている。
茎葉細断装置５は、前記伝動ボックス１２を有すると共に、この伝動ボックス１２から左右方向一側方（左方）に延びる筒体１６と、この筒体１６の外端側（左端側）に固定された伝動ケース１７と、茎葉Ｓを細断（粉砕）する細断部１８と、この細断部１８を覆うカバー体１９と、ゲージ輪２０とを備えている。
【００１５】
細断部１８及びカバー体１９は、２畝に亘るように形成されていると共に、カバー体１９は、細断部１８の上方及び左右両側を覆うと共に前後開放状とされている。
細断部１８は、畝Ｒの左右方向中央側（畝Ｒの頂部側）の茎葉Ｓを細断する中央細断部２１と、この中央細断部２１の左右両側の、後方側で且つ下方側に配置されていて、畝Ｒの左右両側部の茎葉Ｓを細断する左右一対の側部細断部２２とから構成された細断ユニット２３を左右一対備えている。
【００１６】
この細断部１８にあっては、１つの細断ユニット２３によって１つの畝Ｒの茎葉Ｓが細断処理され、中央細断部２１と左右の側部細断部２２とで畝Ｒの形状に沿った細断を行えるように構成されている。
なお、１畝対応の茎葉処理機１であれば細断部１８は１つの細断ユニット２３で構成され、３畝対応の茎葉処理機１であれば細断部１８は３つの細断ユニット２３で構成される。
中央細断部２１及び側部細断部２２は、カバー体１９に左右方向の軸心廻りに回転自在に支持された回転軸２４，２５（回転体）の外周部に切断刃２６，２７を複数個取り付けることで構成されており、本実施の形態では、中央細断部２１及び側部細断部２２の切断刃２６，２７は、回転軸２４，２５の外周面に固定されたブラケットに左右方向の軸心廻りに回転自在に枢着されたフレール刃によって構成されている。
【００１７】
なお、前記回転軸２４，２５は、１本の部材で構成されていてもよいし、複数の部材を連結等することにより構成されていてもよい。
伝動ボックス１２に入力された動力は、該伝動ボックス１２内のベベルギヤ伝動機構等の伝動機構、筒体１６内の伝動軸３１、伝動ケース１７内のプーリ及びＶベルト等からなるベルト巻掛け伝動機構等の伝動機構２９，３０等を介して回転軸２４，２５に動力が伝達され、回転軸２４，２５（切断刃２６，２７）が図１及び図３の矢示Ａ方向、すなわち、切断刃２６，２７が下側から前上方に向けて回転駆動され、アップカットで茎葉Ｓを細断すると共に、この細断した茎葉Ｓを前上方側に飛ばすように構成されている。
【００１８】
なお、細断された茎葉Ｓはカバー体１９の上壁によって、飛散が防止されるように構成されている。
また、中央細断部２１は、その下端（切断刃２６の回転軌跡の外端下端部）と畝Ｒの頂部との間に所定間隔が形成されるように配置されていて（畝Ｒの頂部から上方に所定間隔をおいて配置されていて）、畝Ｒから突出する茎葉Ｓをその一部を残して細断するように構成されている。
左右の側部細断部２２は、央細断部２１の左右両側の、後方側で且つ下方側に位置していて、畝Ｒの左右両側部の茎葉Ｓを略すべて細断する。
【００１９】
前記回転軸２４，２５は、カバー体１９の左右側壁２８間に亘って、畝Ｒの上方を横切るように設けられており、左右の細断ユニット２３の中央細断部２１は共通の回転軸２４に設けられ、左右の細断ユニット２３の左右側部細断部２２も共通の回転軸２５に設けられており、これによって構造の簡素化が図られている。
また、側部細断部２２を回転駆動する回転軸２５は、中央細断部２１を回転駆動する回転軸２４の後方で、且つ該回転軸２４よりも下位に位置していると共に、中央細断部２１及び側部細断部２２の切断刃２６，２７の回転軸２４，２５からの突出長さが略同じ長さとされている（中央細断部２１と、側部細断部２２との外端回転軌跡の径が略同じ径とされている）。
【００２０】
１つの細断ユニット２３において、畝Ｒの形状に沿った茎葉Ｓの細断を行う場合、左右方向の軸心回りに回転自在な回転軸の左右方向中央部に長さの短い切断刃を取り付けて中央細断部を構成すると共に、左右両側に長さの長い切断刃を取り付けて側部細断部を構成するようにすることもできるが、この場合、側部細断部の外端軌跡（切断刃の、回転軸心に直交する方向の外端部が描く軌跡）の径が大きくなり、それに伴ってカバー体も大きくなり、茎葉細断装置が大型化するが、本実施の形態では、中央細断部２１を駆動する回転軸２４と、側部細断部２２を駆動する回転軸２５とを別個に形成し、且つ中央細断部２１と側部細断部２２の外端軌跡の径を略同じにすることにより、畝Ｒの形状に沿った茎葉Ｓの細断を行うようにした茎葉細断装置５のコンパクト化が図れる。
【００２１】
また、１つの細断ユニット２３において、左右の側部細断部２２が、別々の回転軸に設けられるとすると、左右の回転軸を駆動させるための機構が複雑化し、また、取り付けも左右別個に行わなければならず煩雑であるが、本実施の形態にあっては、１つの細断ユニット２３において、左右の側部細断部２２は共通の回転軸２５に設けられているので、構造の簡素化及び取り付けの容易化が図られている。
また、１つの細断ユニット２３において、左右の側部細断部２２を共通の回転軸２５に設け、且つ中央細断部２１の前側に配置させるとすると、左右の側部細断部２２の切断刃２７を回転駆動する回転軸２５が、畝Ｒの上方を中央細断部２１よりも先行して移動することとなるので、中央細断部２１が細断しようとする茎葉Ｓを回転軸２５が倒し、中央細断部２１の細断精度を落とすこととなるが、本実施の形態では、中央細断部２１が、側部細断部２２を駆動する回転軸２５よりも先行して移動するので、中央細断部２１の細断精度を低下させることはない。
【００２２】
また、側部細断部２２が中央細断部２１よりも前側に位置していると、中央細断部２１によって細断された茎葉Ｓの飛散防止と、細断部２２によって細断された茎葉Ｓの飛散防止とを考慮しなければならないが、本実施の形態では、中央細断部２１が、それよりも下位に位置する側部細断部２２よりも先行している（前側に位置する）ので、中央細断部２１によって細断されて前上方に向けて飛散する茎葉Ｓの飛散防止と、側部細断部２２によって細断されて前上方に向けて飛散する茎葉Ｓの飛散防止とを、略同じ部分でカバーできる。
【００２３】
また、この実施の形態の茎葉細断装置５にあっては、中央細断部２１と側部細断部２２とを、側面視で一部オーバーラップさせており（中央細断部２１の後部側を左右側部細断部２２間に入り込ませており）、前後方向に関してコンパクトに形成されている。
前記ゲージ輪２０は、カバー体１９の後端側下部の左右両側に、カバー体１９に対して高さ調整自在（上下位置変更自在）で且つ畝Ｒ間の溝を転動自在として設けられていて、作業時において細断部１８等を一定高さに保持すると共に、細断部１８の高さ調整を行えるようになっている。
【００２４】
なお、作業は、フローティング状態、すなわち、トラクタ２に備えられた油圧昇降装置を、作業機が自重によって下降する状態にして行う。
前記構成の茎葉細断装置５にあっては、回転軸２４，２５に動力伝達する伝動機構２９，３０の従動プーリ２９ａ，３０ａは、同径とされて、中央細断部２１と側部細断部２２との回転速度は同速とされているが、図９に示すように、回転軸２４に動力伝達する伝動機構２９の従動プーリ２９ａのプーリ径を、回転軸２５に動力伝達する伝動機構３０の従動プーリ３０ａのプーリ径よりも小さくすること等により、中央細断部２１の回転速度を側部細断部２２の回転速度よりも速くするようにしてもよい。
【００２５】
この場合、茎葉Ｓは中央細断部２１によって側部細断部２２よりも細かく細断され、中央細断部２１で茎葉Ｓをより細かく細断して飛ばすことにより、細断された茎葉Ｓを、その後の、残った茎葉Ｓの引抜き作業の邪魔にならないようにするという効果を奏する。
左右の茎葉引抜き装置４は、それぞれ装着フレーム３に左右別個に取り付けられており、支持フレーム３３と、細断後の残った茎葉Ｓを塊茎Ｔの付け根から引き抜く引抜き手段３４と、この引抜き手段３４の前側近傍に配置されていて細断後の残った茎葉Ｓを引抜き手段３４の左右方向中央部側（畝Ｒの左右方向中央側）へと掻き寄せる（掻き集める）掻寄せ装置３５と、引抜き手段３４の後側に立設して備えられていて引抜き手段３４及び掻寄せ装置３５へと動力を伝達する伝動ケース３６と、引抜き手段３４の後方に配置されていて引抜き手段３４によって茎葉Ｓを引き抜いた後の畝Ｒ（塊茎Ｔ及び土）を上から押さえる押え部材３７（ゲージ輪）と、この押え部材３７を支持フレーム３３に対して昇降自在に支持する昇降支持機構３８とを有する。
【００２６】
支持フレーム３３は、前端側が装着フレーム３の後部に左右方向の軸心廻りに回動自在に枢着された左右一対の側枠材４０と、この側枠材４０の前後方向中途部同志を連結する左右方向の連結枠材４１と、左右の側枠材４０の後端同志を連結する左右方向の横枠材４２と、この横枠材４２に取り付けられた取付体４４に固定されていて横枠材４２から下方に延びる左右一対の縦枠材４３とを備えており、該支持フレーム３３（茎葉引抜き装置４）は、前端の枢支部４５回りに上下揺動自在とされている。
【００２７】
伝動ケース３６は、若干後傾状（上方に向かうに従って後方に移行する傾斜状）とされていて、支持フレーム３３の左右縦枠材４３に取付部材４６を介して取付固定されており、上部の左右方向内方寄りに入力軸４７が前方側に突出状に設けられ、下部に出力軸４８が前方側に突出状として左右一対設けられている。
左右の伝動ケース３６の入力軸４７は、前記分岐伝動ケース１１の左右の同じ側にある出力部１５に、引抜き手段３４の上方側に配置されたユニバーサルジョイント４９を介して連動連結されており、伝動ケース３６に、その上部側からトラクタ２のＰＴＯ軸（前方側）からの回転動力が引抜き手段３４の上方を越えて入力されるようになっている。
【００２８】
伝動ケース３６内には、入力軸４７から左右の出力軸４８に動力を伝達する動力伝達機構５０が収納されている。
この動力伝達機構５０は、第１の伝動手段５２と、第２の伝動手段５３とからなる。
第１の伝動手段５２は、入力軸４７と一体回転する駆動スプロケット５４と、この駆動スプロケット５４の下方に入力軸４７と平行な軸心回りに回転自在に設けられた従動スプロケット５５と、これら駆動スプロケット５４と従動スプロケット５５とに亘って掛装されたローラチェーン５６とから構成されている。
【００２９】
第２の伝動手段５３は、第１の伝動手段５２の従動スプロケット５５と一体回転する第１ギヤ５７と、左右方向内方側の出力軸４８と一体回転すると共に第１ギヤ５７と噛み合う第２ギヤ５８と、左右方向外方側の出力軸４８と一体回転する第３ギヤ５９と、この第３ギヤ５９と第１ギヤ５７とに噛み合う第４ギヤ６０とから構成されている。
したがって、図６に矢印で示すように、入力軸４７に入力された動力は第１・第２の伝動手段５２，５３を介して左右の出力軸４８に伝達され、左右の出力軸４８は、互いに逆方向で且つ左右方向対向側において、下側から上側に向けて回転駆動されるように構成されている。
【００３０】
引抜き手段３４は、左右一対の引抜きロール６２からなり、左右の引抜きロール６２はそれぞれ左右方向同じ側にある出力軸４８に一体回転自在に取り付けられていて、左右の引抜きロール６２は、左右の出力軸４８と同様に、互いに逆方向で且つ左右方向対向側において、下側から上側に向けて回転する。
また、左右の引抜きロール６２は、中空のゴムロールによって形成され、その回転軸心Ｂ方向中央側が膨出した、側面視略楕円形状を呈しており、相互に密接されている。
【００３１】
なお、前記引抜きロール６２は、スポンジゴムのような弾性体であれば、中実に形成してもよい。
この引抜き手段３４にあっては、左右の引抜きロール６２を回転駆動させて、茎葉処理機１（トラクタ２）を前進させることにより、茎葉細断装置５で細断されずに残った茎葉Ｓが左右の引抜きロール６２の合わせ目に相対的に進入し、該茎葉Ｓが左右の引抜きロール６２間で挟持されて上方に引っ張られ、該茎葉Ｓが塊茎Ｔの付け根から引き抜かれるようになっている。
【００３２】
この引抜きロール６２は、比較的高速で回転され、引き抜かれた茎葉Ｓは上方に吹き上げられるようになっている。
また、本実施の形態では、引抜きロール６２は、確実に茎葉Ｓを挟持するために、畝Ｒの肩部に接して配置されており、畝Ｒの一部の土も一緒に上方に吹き上げられるように高さ調整される。
また、左右の出力軸４８は、伝動ケース３６と略直交するように設けられていて、前方に向かうに従って上方に移行する傾斜状（前上がり傾斜状）の軸心を有し、この傾斜状の軸心Ｂ回りに左右の引抜きロール６２が回転駆動されるようになっていて、引抜きロール６２の回転軸心Ｂが前後方向水平状である場合よりも、引抜きロールの密着部分の下縁（図６の符号ａ部分）を、畝Ｒ頂部により近づけることにより、左右引抜きロール６２での茎葉Ｓの挟持ミスを少なくしている（畝Ｒからの突出長さが短い茎葉Ｓであっても確実に挟持できるように図られている）。
【００３３】
なお、左右の引抜きロール６２の回転軸心Ｂは水平状であってもよいし、前方に向かうに従って下方に移行する傾斜状（後上がり傾斜状）であってもよい。後上がり傾斜状であっても、前上がり傾斜状の場合と同様の効果を奏する。
前記掻寄せ装置３５は、細断されずに残った茎葉Ｓが左右引抜きロール６２間に進入し易いように、該茎葉Ｓを左右引抜きロール６２の左右方向中央部に掻き寄せるものであり、掻寄せベルト６３と、該掻寄せベルト６３の駆動機構６４とを左右一対備えている。
【００３４】
掻寄せベルト６３は、ゴム等の弾性体からなり、エンドレスのベルト本体６３ａの外周に弾性変形可能な突起（タイン）６３ｂを周方向に間隔をおいて設けてなる。
駆動機構６４は、駆動プーリ６７と、従動プーリ６８と、これらプーリ６７，６８を連結するフレーム６９とを有する。
駆動プーリ６７は、引抜きロール６２の前端側に一体回転自在に取り付けられている。
【００３５】
フレーム６９は左右方向外方に向かうに従って下方に移行する傾斜状に配置されていて、その左右方向内端側が、駆動プーリ６７の回転中心に設けられた軸７０にベアリング７１を介して相対回転自在に取り付けられている。
従動プーリ６８は、フレーム６９の左右方向外端側に、従動プーリ６８の回転中心に設けられた軸７２がベアリング７３を介して相対回転自在に取り付けられている。
掻寄せベルト６３は、駆動プーリ６７と従動プーリ６８とにわたって巻き掛けられており、引抜きロール６２と同行回転（循環回走）して、細断されずに残った茎葉Ｓを引き起こすと共に、左右方向中央部に寄せ集める。
【００３６】
なお、左右のフレーム６９及び掻寄せベルト６３は、前後に位置ズレさせて設けられており、左右の掻寄せベルト６３が相互に干渉しないように構成されている。
また、前記構成より、左右のフレーム６９及び掻寄せベルト６３は駆動プーリ６７の回転軸心Ｂを中心に上下に揺動自在とされており、支持機構６５によってその下方揺動が規制されるようになっている。
支持機構６５は、前記左右各フレーム６９の左右方向内端側に上方突出状として立設された左右一対のアーム７５と、支持フレーム３３の連結枠材４１に下方に延出状として固定された固定ブラケット７６と、この固定ブラケット７６の下端部に左右両側に突出状として固定されると共に左右各アーム７５の上端側に設けられたバネ受け７７を貫通するバー（横軸）７８と、固定ブラケット７６と左右バネ受け７７との各間に圧縮状に介装され且つバー７８に套嵌された左右一対のバネ（付勢手段）７９と、バネ受け７７の左右方向外方側に配置されていてバー７８に挿通されて固定されるストッパ部材８０とを備えており、バネ受け７７がストッパ部材８０に接当することにより、フレーム６９及び掻寄せベルト６３の、駆動プーリ６７の回転軸心Ｂを中心とする下方揺動（図７の矢示Ｃ方向の回動）が規制されるようになっている。
【００３７】
また、フレーム６９及び掻寄せベルト６３は、バネ７９の付勢力によって、駆動プーリ６７の回転軸心Ｂを中心とする上方揺動（図７の反矢示Ｃ方向の回動）が規制されるように構成されており、地面側から掻寄せベルト６３等を突き上げるような無理な力が作用した場合には、バネ７９の付勢力に抗して、フレーム６また、ストッパ部材８０は、Ｒピン又はβピン等のピンからなり、バー７８には、ストッパ部材８０を挿通する挿通孔８１が左右方向に適宜間隔をおいて形成されており、ストッパ部材８０がバー７８の長手方向に位置変更自在とされており、これによって、掻寄せベルト６３の従動プーリ６８側の上方方向の位置が変更調整可能とされている。
９及び掻寄せベルト６３が上方に揺動して逃げるように構成されている。
【００３８】
また、ストッパ部材８０は、Ｒピン又はβピン等のピンからなり、バー７８には、ストッパ部材８０を挿通する挿通孔８１が左右方向に適宜間隔をおいて形成されており、ストッパ部材８０がバー７８の長手方向に位置変更自在とされており、これによって、掻寄せベルト６３の従動プーリ６８側の上方方向の位置が変更調整可能とされている。
押え部材３７は、引抜きロール６２の後方側に配置されていて、左右方向の軸心回りに回転して畝Ｒ上を転動し、茎葉引抜き後の土を上から押さえると共に、茎葉引抜き装置４（引抜き手段３４）のゲージ輪としての機能を有する。
【００３９】
この押え部材３７は、例えば、左右方向に間隔をおいて対向配置された左右の輪体の外周間に掛け渡されたゴム又は布製の平ベルトを輪体周方向に適宜間隔をおいて設けると共に、この平ベルトの左右方向中央部をゴム又は布製の平ベルトによって絞めることにより、畝Ｒの形状に沿うように略鼓形状に形成される。
昇降支持機構３８は、押え部材３７の左右両側に配置された支持アーム８２を有し、この支持アーム８２の前端側は、支持フレーム３３の左右縦枠材４３の下端に固定された左右方向の部材に、左右方向の軸心廻りに回動自在に枢支連結され、支持アーム８２の後端側は、押え部材３７の回転中心に左右方向の軸心回りに回転自在に枢支連結されていて、押え部材３７が上下揺動自在に支持されている。
【００４０】
また、左右各支持アーム８２の後端側には、上方側に延びるレバー８３が設けられ、この左右レバー８３の上端側は連結部材８４によって相互に連結されている。
また、押え部材３７の左右方向中央部の上方側には、前記連結部材８４と横枠材４２（取付体４４）との間に介装されたシリンダ等からなる伸縮自在な高さ調整手段８５が設けられている。
この高さ調整手段８５を伸縮させることにより、押え部材３７が支持フレーム３３に対して相対的に上下動し、これにより、支持フレーム３３が上下揺動して引抜き手段３４の畝Ｒに対する高さが調整されるようになっている。
【００４１】
本実施の形態にあっては、装着フレーム３に左右別個に上下揺動自在に支持された左右の支持フレーム３３に、それぞれ引抜き手段３４と、伝動ケース３６と、押え部材３７等とが設けられており、引抜き手段３４の高さ調整が左右の茎葉引抜き装置４で別個に行えるように構成されている。
なお、この引抜き手段３４の上下位置調整を行う押え部材３７で細断部１８の上下位置調整をも行うのは困難である。そこで本実施の形態にあっては、茎葉細断装置５にゲージ輪２０を設け、引抜き手段３４の高さ調整と、細断部１８の高さ調整とを別個に行えるようにしている。
【００４２】
なお、前記実施の形態のものにおいて、茎葉引抜き装置４を取り外して、茎葉細断装置５のみで使用できるようにしてもよい。
図１０〜図１８は他の実施の形態を示したものであり、図１０及び図１１は、引抜きロール６２の傾斜角度（回転軸心Ｂの水平に対する傾斜角）が調整自在とされているものである。
図１０及び図１１に示す角度調整機構は、伝動ケース３６側又は縦枠材４３側（支持フレーム３３側）の一方に、前記支持機構６５のバー７８の軸心を中心とする円弧状のガイド溝８６を設け、他方に、このガイド溝８６に挿通されて該ガイド溝８６内を長手方向に移動自在なピン８７を設けることにより、伝動ケース３６と共に引抜きロール６２が傾動自在とされている。
【００４３】
また、引抜きロール６２（伝動ケース３６）の位置固定は、例えば、ピン８７にネジ部を形成すると共に、このネジ部に螺合されるナットと、ピン８７を固定するブラケット８８とでガイド溝８６が形成されたプレート８９を挟み込んで、前記ナットを締め付けることにより行われる。
なお、前記引抜きロール６２の角度調整機構は前述した構造のものに限定されることはなく、他の構造のものを採用してもよい。
また、図１２に示すものは、引抜きロール６２を、前上がり傾斜状態から水平状態を経て後上がり傾斜状態へと姿勢変更できるように角度調整自在としたものである。
【００４４】
図１３及び図１４は、左右の引抜きロール６２によって吹き上げられた土を押え部材３７の前側の畝Ｒ上面に案内するガイド手段９１を設けたものを示している。
引抜きロール６２によって茎葉Ｓを引き抜くときにその引抜き力によって馬鈴薯Ｐの塊茎Ｔが連れもって上がり、該塊茎Ｔが土から露出してしまい、押え部材３７で上から押さえるだけでは対処できない場合が考えられるが、引抜きロール６２で上方に吹き上げられた土を畝Ｒ上に供給してやることにより、茎葉Ｓを引き抜く際に万が一塊茎Ｔが露出しても該塊茎Ｔを確実に土中に埋設させることができる。
【００４５】
また、ガイド手段９１を設けることにより、引抜きロール６２によって吹き上げられた土が茎葉引抜き装置４上に積もるのを防止できる。
なお、図１３に仮想線で示すように、左右の引抜きロール６２によって吹き上げられた土を押え部材３７の後側の畝Ｒ上面に案内するようにしてもよい。
図１５に示すものは、左右一方側の茎葉引抜き装置４の引抜きロールで吹き上げられた土を左右他方側の茎葉引抜き装置４の押え部材３７の前側（又は後側でもよい）に案内するようにしたガイド手段９１を設けたものを示している。
【００４６】
図１６及び図１７に示す実施の形態は、前記茎葉引抜き装置４は備えられておらず、茎葉Ｓの細断のみを行う茎葉処理機１を示したものである。
この茎葉処理機１にあっては、茎葉細断装置５のカバー体１９を前後に分割すると共に、カバー体後部１９ａと伝動ケース１７とを前側の回転軸２４の軸心を中心として上下に揺動自在として、中央細断部２１に対する左右の側部細断部２２の高さを調整可能としたものを示しており、左右の側部細断部２２を中央細断部２１の高さと略同じ高さに調整することにより、ビートの冠部の切断作業、草等の刈り取り作業、切り株処理等を行えるようにしたものである。
【００４７】
なお、この茎葉処理機１で馬鈴薯Ｐの茎葉Ｓの細断を行った後は、前記茎葉引抜き装置４のみを備えた茎葉処理機１によって茎葉Ｓの引抜きを行う。
また、この図１６及び図１７に示す構成の茎葉細断装置５の後側に、前記茎葉引抜き装置４を着脱自在又は昇降自在に設けて、茎葉処理機１を構成してもよい。
図１８に示す実施の形態は、引抜き手段３４の前部を、茎葉細断装置５の左右の側部細断部２２の間に入り込むように構成して、前後方向コンパクトに構成したものである。
【００４８】
その他の構成は、前記実施の形態と略同様に構成される。
図１９は、開示例を示し、左右の側部細断部２２を前側に、中央細断部２１を後側に配置して細断部１８を構成した、茎葉Ｓの細断のみを行う茎葉処理機１を示したものである。
【００４９】
【発明の効果】
本発明によれば、畝に沿って移動しながら作物の茎葉を細断する茎葉細断装置を備え、この茎葉細断装置は、畝の左右方向中央側の茎葉を細断する中央細断部と、この中央細断部の左右両側の、後方側で且つ下方側に配置されていて、畝の左右両側部の茎葉を細断する側部細断部とを備えて構成されていることにより、畝の形状に沿った茎葉の細断が行えると共に、コンパクトに構成できる。
また、茎葉細断装置の各細断部は、左右方向の軸心廻りに回転自在な切断刃を備えていると共に、この切断刃が下側から前上方に向けて回転するように構成することにより、細断した茎葉を前側に向けて飛ばすことができ、茎葉細断装置の後方側に、残った茎葉を引き抜く茎葉引抜き装置を設ける場合に有利である。
【００５０】
また、側部細断部と中央細断部とが略同じ高さとなるように高さ変更可能とすることにより、例えば、ビートの冠部の切断作業、草等の刈り取り作業、切り株処理等の作業をすることができる。
また、左右の側部細断部は、畝の上方側を左右に横切るように配置された共通の回転軸に切断刃を取り付けることにより構成することにより、左右独立した軸に側部細断部を設ける場合に比べて構造の簡素化が図れる。また、畝の上方側を左右に横切るように配置された共通の回転軸に側部細断部を設けた場合において、中央細断部の前方側に側部細断部を配置した場合、中央細断部よりも側部細断部を駆動する回転軸が先行して畝上方を移動することとなるので、該回転軸が茎葉を倒して、中央細断部の細断精度を落とすこととなるが、中央細断部の後方側に左右の側部細断部を配置することにより、畝の上方側を左右に横切るように配置された共通の回転軸に左右の側部細断部を設けても、該回転軸よりも中央細断部が先行して移動するので、中央細断部の細断精度を落とすことがない。
【００５１】
また、茎葉細断装置の各細断部は、左右方向の軸心廻りに回転する切断刃を備えていると共に、中央細断部の回転数が、側部細断部の回転数よりも速くなるように構成することにより、中央細断部で細断する茎葉を側部細断部よりも細かく細断して飛ばすことができ、茎葉細断装置の後方側に、残った茎葉を引き抜く茎葉引抜き装置を設ける場合に有利である。
また、中央細断部は、茎葉をその一部を残して細断するものであり、中央細断部の後側には、細断されずに残された茎葉を挟持して引き抜く引抜き手段を備え、この引抜き手段を左右の側部細断部間に入り込ませるようにすることにより、茎葉処理機を前後方向コンパクトに形成できる。
【００５２】
また、中央細断部２１と側部細断部とを、側面視で一部オーバーラップさせることにより、茎葉処理機を前後方向コンパクトに形成できる。
また、中央細断部は、茎葉をその一部を残して細断するものであり、茎葉細断装置の後方に、細断されずに残った茎葉を挟持して引き抜く茎葉引抜き装置を備え、茎葉細断装置と茎葉引抜き装置の各々にゲージ輪を設けることにより、茎葉細断装置と茎葉引抜き装置とを、別々に高さ設定（高さ調整）することができる。
【図面の簡単な説明】
【図１】茎葉処理機の側面図である。
【図２】茎葉処理機の平面図である。
【図３】茎葉処理機の拡大側面図である。
【図４】茎葉細断装置と畝との関係を示す正面図である。
【図５】茎葉引抜き装置の平面図である。
【図６】茎葉引抜き装置の正面図である。
【図７】茎葉引抜き装置の正面図である。
【図８】掻寄せ装置の支持機構の平面図である。
【図９】他の実施の形態に係る茎葉処理機の側面図である。
【図１０】他の実施の形態に係る茎葉処理機の側面図である。
【図１１】引抜きロールの傾斜角度調整機構の側面図である。
【図１２】他の実施の形態に係る茎葉処理機の側面図である。
【図１３】他の実施の形態に係る茎葉処理機の側面図である。
【図１４】他の実施の形態に係る茎葉処理機の平面図である。
【図１５】他の実施の形態に係る茎葉処理機の平面図である。
【図１６】他の実施の形態に係る茎葉処理機の側面図である。
【図１７】他の実施の形態に係る茎葉処理機の側面図である。
【図１８】他の実施の形態に係る茎葉処理機の側面図である。
【図１９】開示例に係る茎葉処理機の側面図である。
【符号の説明】
４    茎葉引抜き装置
５    茎葉細断装置
２０    ゲージ輪
２１    中央細断部
２２    側部細断部
２６    切断刃
２７    切断刃
３４    引抜き手段
３７    ゲージ輪
Ｐ    馬鈴薯（作物）
Ｒ    畝
Ｓ    茎葉
【図１】
2004194594.tif 000003
【図２】
2004194594.tif 000004
【図３】
2004194594.tif 000005
【図４】
2004194594.tif 000006
【図５】
2004194594.tif 000007
【図６】
2004194594.tif 000008
【図７】
2004194594.tif 000009
【図８】
2004194594.tif 000010
【図９】
2004194594.tif 000011
【図１０】
2004194594.tif 000012
【図１１】
2004194594.tif 000013
【図１２】
2004194594.tif 000014
【図１３】
2004194594.tif 000015
【図１４】
2004194594.tif 000016
【図１５】
2004194594.tif 000017
【図１６】
2004194594.tif 000018
【図１７】
2004194594.tif 000019
【図１８】
2004194594.tif 000020
【図１９】
2004194594.tif 000021